(57)【要約】【課題】使用者がホースの延長管側の端部に配置された手元ブラシを使用及び収納する際に、使用者の手が手元ブラシに触れ、使用者の手に塵埃が付着することがなく、使い勝手のよい電気掃除機の提供。【解決手段】吸引風を発生させる電動送風機を内蔵する掃除機本体と、一端が掃除機本体に接続されるホースと、ホースの他端に設けられた手元ブラシと、ホースの他端に設けられており、手元ブラシを駆動する駆動手段と、手元ブラシと駆動手段とを連結する連結手段と、駆動手段を制御する制御手段と、を備え、制御手段は、連結手段によって手元ブラシと駆動手段とが連結された際に、駆動手段を駆動し、手元ブラシを動作させる電気掃除機。【選択図】図３
2013132416.tif 000002
【特許請求の範囲】
【請求項１】
吸引風を発生させる電動送風機を内蔵する掃除機本体と、一端が前記掃除機本体に接続されるホースと、前記ホースの他端に設けられた手元ブラシと、前記ホースの他端に設けられており、前記手元ブラシを駆動する駆動手段と、前記手元ブラシと前記駆動手段とを連結する連結手段と、前記駆動手段を制御する制御手段と、を備え、前記制御手段は、前記連結手段によって前記手元ブラシと前記駆動手段とが連結された際に、前記駆動手段を駆動し、前記手元ブラシを動作させる電気掃除機。
【請求項２】
前記制御手段は、さらに前記連結手段を制御しており、前記制御手段は、前記手元ブラシを動作させた後、前記駆動手段を停止するとともに、前記連結手段を駆動し、前記手元ブラシと前記駆動手段との連結を解除する請求項１に記載の電気掃除機。
【請求項３】
前記手元ブラシは、使用状態と収納状態とを取り得るように構成されており、前記制御手段は、前記手元ブラシの使用状態において、前記電動送風機の運転が停止されると、前記手元ブラシを使用状態から収納状態へと動作させる請求項１または２に記載の電気掃除機。
【請求項４】
被清掃面の塵埃を吸引する吸込具と、一端が前記ホースの他端に接続され、他端が前記吸込具に接続される延長管と、前記吸込具及び前記延長管と前記ホースとの接続を検知する接続検知手段と、をさらに備え、前記制御手段は、前記接続検知手段が前記ホースから前記延長管が取り外されたことが検知すると、前記駆動手段を駆動し、前記手元ブラシを動作させる請求項１〜３のうちの何れか１項に記載の電気掃除機。
【請求項５】
前記ホースの他端には、使用者が保持する保持部が設けられており、前記保持部には前記連結手段を操作する連結操作手段が設けられており、前記制御手段は、使用者によって前記連結操作手段が操作されると前記駆動手段を駆動し、前記手元ブラシを動作させる請求項１〜３のうちの何れか１項に記載の電気掃除機。
【発明の詳細な説明】
【技術分野】
【０００１】
本発明は、電気掃除機に関し、特に、ホースの端部に吸込具を有するものに関する。
【背景技術】
【０００２】
従来、この種の電気掃除機においては、電気掃除機の使い勝手を向上させるべく、ホースの延長管側の端部に、手動にて回動可能な吸込具を配置した構成が提案されている（例えば、特許文献１参照）。
【０００３】
すなわち、図７に示すように、従来の電気掃除機においては、一端が掃除機本体（図示せず）に接続され、他端に延長管（図示せず）が接続されるホース２０１の延長管（図示せず）側の端部に、使用者が保持する保持部（図示せず）を有する手元グリップ部２０２が設けられている。手元グリップ部２０２の延長管（図示せず）側の端部には、Ｕ字枠状に形成されたアタッチメント枠体２０３と、アタッチメント枠体２０３の端部に植毛されたブラシ毛２０４を有する吸込口アタッチメント２０５が回動自在に取付けられている。そして、従来の電気掃除機においては、吸込口アタッチメント２０５を使用する場合、使用者は吸込口アタッチメント２０５を手動にて回動させ、吸込口アタッチメント２０５を使用位置で固定するとともに、吸込口アタッチメント２０５を収納する場合、使用者は吸込口アタッチメント２０５を手動にて回動させ、吸込口アタッチメント２０５を収納位置で固定するように構成されている。
【０００４】
また、従来の電気掃除機においては、電気掃除機の使い勝手を向上させるべく、ホースの延長管側の端部に吸込具を回動可能に配置するとともに、延長管の取り外しに応じて吸込具が自動的に使用位置に移動する構成が提案されている（例えば、特許文献２参照）。
【０００５】
すなわち、図８に示すように、従来の電気掃除機においては、一端が掃除機本体（図示せず）に接続され、他端に延長管（図示せず）が接続されるホース３０１の延長管（図示せず）側の端部に、使用時に使用者が握る把手３０２を有する先端パイプ３０３が設けられている。先端パイプ３０３の延長管（図示せず）側の端部には、一端にブラシ３０４が植毛されたブラシホルダー３０５が回動自在に枢支されており、このブラシホルダー３０５は、フックバネ３０６によって延長管（図示せず）側に付勢されている。そして、従来の電気掃除機においては、ブラシホルダー３０５を使用する場合、使用者がホース３０１の先端パイプ３０３から延長管（図示せず）を取り外すことで、フックバネ３０６の付勢力によってブラシホルダー３０５が延長管（図示せず）側へと回動し、使用位置で固定されるとともに、ブラシホルダー３０５を収納する場合、使用者はブラシホルダー３０５を手動にて回動させ、収納位置で固定するように構成されている。
【先行技術文献】
【特許文献】
【０００６】
【特許文献１】特開２０００−１９７５９７号公報
【特許文献２】特開２００６−２３０８７１号公報
【発明の概要】
【発明が解決しようとする課題】
【０００７】
しかしながら、上記特許文献１及び特許文献２に記載の従来の電気掃除機においては、電気掃除機の使い勝手を向上させるという観点からは未だ改善の余地があった。
【０００８】
すなわち、上記特許文献１に記載の従来の電気掃除機においては、吸込口アタッチメン
トを使用及び収納する際に、使用者は吸込口アタッチメントを手動で回動させる必要があるため、吸込口アタッチメントのブラシ毛に付着している塵埃が使用者の手に付着してしまう場合があった。また、上記特許文献２に記載の従来の電気掃除機においては、ブラシホルダーを使用する場合は、フックバネの付勢力によってブラシホルダーが自動的に使用位置まで回動するものの、上記特許文献１に記載の電気掃除機と同様に、ブラシホルダーを収納する際は、使用者がブラシホルダーを手動で回動させる必要があるため、吸込口アタッチメントのブラシ毛に付着している塵埃が使用者の手に付着してしまう場合があった。
【０００９】
本発明は、上記従来技術の有する課題に鑑みてなされたものであり、使用者がホースの延長管側の端部に配置された手元ブラシを使用及び収納する際に、使用者の手が手元ブラシに触れ、使用者の手に塵埃が付着することがなく、使い勝手のよい電気掃除機を提供することを目的とする。
【課題を解決するための手段】
【００１０】
上記従来技術の有する課題を解決するために、本発明は、吸引風を発生させる電動送風機を内蔵する掃除機本体と、一端が掃除機本体に接続されるホースと、ホースの他端に設けられた手元ブラシと、ホースの他端に設けられており、手元ブラシを駆動する駆動手段と、手元ブラシと駆動手段とを連結する連結手段と、駆動手段を制御する制御手段と、を備え、制御手段は、連結手段によって手元ブラシと駆動手段とが連結された際に、駆動手段を駆動し、手元ブラシを動作させる電気掃除機を提供する。
【００１１】
これにより、連結手段によって手元ブラシと駆動手段とが連結された際に、制御手段によって駆動手段が駆動され、手元ブラシが自動的に動作するため、使用者が手元ブラシを使用及び収納する際に、使用者の手が手元ブラシに触れ、使用者の手に塵埃が付着することがなく、電気掃除機の使い勝手を向上させることができる。
【発明の効果】
【００１２】
本発明の電気掃除機によれば、連結手段によって手元ブラシと駆動手段とが連結された際に、制御手段によって駆動手段が駆動され、手元ブラシが自動的に動作するため、使用者が手元ブラシを使用及び収納する際に、使用者の手が手元ブラシに触れ、使用者の手に塵埃が付着することがなく、電気掃除機の使い勝手を向上させることができるようになる。
【図面の簡単な説明】
【００１３】
【図１】本発明の実施の形態１における電気掃除機の斜視外観図
【図２】本発明の実施の形態１における手元ブラシの拡大斜視図
【図３】本発明の実施の形態１における駆動手段及び連結手段の概略図
【図４】本発明の実施の形態１における制御ブロック図
【図５】本発明の実施の形態２における駆動手段及び連結手段の概略図
【図６】本発明の実施の形態２における制御ブロック図
【図７】従来の電気掃除機の吸込口アタッチメントを示す部分拡大図
【図８】従来の電気掃除機のブラシホルダーを示す部分拡大断面図
【発明を実施するための形態】
【００１４】
第１の発明は、吸引風を発生させる電動送風機を内蔵する掃除機本体と、一端が掃除機本体に接続されるホースと、ホースの他端に設けられた手元ブラシと、ホースの他端に設けられており、手元ブラシを駆動する駆動手段と、手元ブラシと駆動手段とを連結する連結手段と、駆動手段を制御する制御手段と、を備え、制御手段は、連結手段によって手元ブラシと駆動手段とが連結された際に、駆動手段を駆動し、手元ブラシを動作させる電気
掃除機としたものである。
【００１５】
これにより、連結手段によって手元ブラシと駆動手段とが連結された際に、制御手段によって駆動手段が駆動され、手元ブラシが自動的に動作するため、使用者が手元ブラシを使用及び収納する際に、使用者の手が手元ブラシに触れ、使用者の手に塵埃が付着することがなく、電気掃除機の使い勝手を向上させることができる。
【００１６】
第２の発明は、特に、第１の発明において、制御手段は、さらに連結手段を制御しており、制御手段は、手元ブラシを動作させた後、駆動手段を停止するとともに、連結手段を駆動し、手元ブラシと駆動手段との連結を解除するものである。
【００１７】
これにより、手元ブラシの非動作状態に、駆動手段の駆動力が連結手段及び手元ブラシにかかることがないため、駆動手段、連結手段、及び、手元ブラシに過大な負荷がかかることがない。そのため、駆動手段、連結手段、及び、手元ブラシが破損することを十分に防止することができ、駆動手段、連結手段、及び、手元ブラシの耐久性を向上させることができる。
【００１８】
第３の発明は、特に、第１及び第２の発明において、手元ブラシは、使用状態と収納状態とを取り得るように構成されており、制御手段は、手元ブラシの使用状態において、電動送風機の運転が停止されると、手元ブラシを使用状態から収納状態へと動作させるものである。
【００１９】
これにより、使用者が手元ブラシを使用して掃除を行っている状態において、使用者は電動送風機の運転を停止するだけで、手元ブラシを使用状態から収納状態へと動作させることができる。そのため、使用者が手元ブラシを収納する際に、使用者の手が手元ブラシに触れ、使用者の手に塵埃が付着することがなく、電気掃除機の使い勝手を向上させることができる。また、使用者は手元ブラシを収納するための特別な操作を行う必要がなく、手元ブラシを収納することができるため、手元ブラシの使い勝手を向上させることができるとともに、電気掃除機の使い勝手を向上させることができる。
【００２０】
第４の発明は、特に、第１〜第３の発明において、被清掃面の塵埃を吸引する吸込具と、一端がホースの他端に接続され、他端が吸込具に接続される延長管と、吸込具及び延長管とホースとの接続を検知する接続検知手段と、をさらに備え、制御手段は、接続検知手段がホースから延長管が取り外されたことが検知すると、駆動手段を駆動し、手元ブラシを動作させるものである。
【００２１】
これにより、使用者がホースに接続された延長管をホースから取り外すだけで自動的に手元ブラシが動作するため、使用者が手元ブラシを使用する際に、使用者の手が手元ブラシに触れ、使用者の手に塵埃が付着することがなく、電気掃除機の使い勝手を向上させることができる。また、使用者は、手元ブラシを使用して掃除を行うための特別な操作を行う必要がなく、ホースから延長管を取り外すだけで手元ブラシを使用することができるため、手元ブラシの使い勝手を向上させることができ、電気掃除機の使い勝手を向上させることができる。
【００２２】
第５の発明は、特に、第１〜第３の発明において、ホースの他端には、使用者が保持する保持部が設けられており、保持部には連結手段を操作する連結操作手段が設けられており、制御手段は、使用者によって連結操作手段が操作されると駆動手段を駆動し、手元ブラシを動作させるものである。
【００２３】
これにより、使用者が手元ブラシを使用して掃除を行う場合、使用者は手元操作部に設
けられた連結操作部を操作するだけで手元ブラシを動作させることができるため、使用者が手元ブラシを使用する際に、使用者の手が手元ブラシに触れ、使用者の手に塵埃が付着することがなく、電気掃除機の使い勝手を向上させることができる。
【００２４】
（実施の形態１）
本発明の電気掃除機の実施の形態１について、図１〜図４を用いて説明する。
【００２５】
図１は、本発明の実施の形態１における電気掃除機の斜視外観図である。また、図２は、本発明の実施の形態１における手元ブラシの拡大斜視図である。さらに、図３は、本発明の実施の形態１における駆動手段及び連結手段の概略図である。また、図４は、本発明の実施の形態１における制御ブロック図である。
【００２６】
図１に示すように、電気掃除機１００は、吸引風を発生させる電動送風機１ａと商用電源に接続される電源コード１ｂとを有する掃除機本体１と、掃除機本体１に着脱自在に装着される集塵容器２と、被清掃面の塵埃を吸引する吸込具３と、一端が吸込具３に着脱自在に接続される伸縮自在或いは継ぎ自在に延長管４と、一端が延長管４の他端に着脱自在に接続され、他端が掃除機本体１の前面に形成された吸引口（図示せず）に着脱自在に接続されるホース５と、から構成されている。
【００２７】
吸込具３は、下面に開口部（図示せず）を有する吸込具本体３ａと、吸込具本体３ａの後方の中央部に設けられており、一端が開口部（図示せず）に連通するとともに、他端に延長管４が着脱自在に接続される連結管３ｂと、から構成されている。また、吸込具本体３ａの内部には、開口部（図示せず）に臨むように配置されており、被清掃面の塵埃を掻きあげる回転ブラシ６と、回転ブラシ６を回転駆動するモータ７と、が配置されている。さらに、吸込具３及び延長管４にはそれぞれ、インピーダンス等の素子（図示せず）配置されており、後述する接続検知手段２６によって、このインピーダンスの変化を検出することで、吸込具３及び延長管４とホース５との接続の有無を検知できるように構成されている。
【００２８】
ホース５は、可撓性を有する蛇腹状に形成されており、その内部にコイル状に形成された芯線（図示せず）を有しており、この芯線（図示せず）によって、後述する手元操作部１１及び吸込具３に電力が供給されるとともに、後述する手元操作部１１の信号が制御手段２３へと伝達される。また、ホース５の掃除機本体１側の端部には、掃除機本体１の吸引口（図示せず）に着脱自在に接続される接続管８が設けられている。さらに、ホース５の延長管４側の端部には、電気掃除機１００を使用する際に使用者が保持する保持部９を有する先端パイプ１０が設けられている。また、保持部９には、使用者が電動送風機１ａの各種の動作モード（例えば、強、中、弱、停止など）を選択する手元操作部１１が配置されている。
【００２９】
図１及び図２に示すように、先端パイプ１０の延長管４側の端部には、略Ｕ字形状を有する手元ブラシ本体１２ａと、手元ブラシ本体１２ａの一端に植毛されたブラシ毛１２ｂと、を有する手元ブラシ１２が取付けられている。手元ブラシ１２は、ブラシ毛１２ｂがホース５側に突出した収納状態（図２中の実線で示した状態）と、ブラシ毛１２ｂが延長管４側に突出した使用状態（図２中の二点鎖線で示した状態）と、を取り得るように、先端パイプ１０の延長管４側の端部に回動自在に軸支されている。また、手元ブラシ１２は、収納状態において、手元ブラシ１２のブラシ毛１２ｂがホース５側を向いた状態で収納され、手元ブラシ１２が先端パイプ１０の外周に沿った状態で収納される。
【００３０】
図３に示すように、手元ブラシ１２の近傍には、手元ブラシ１２を回転駆動する駆動手段１３と、手元ブラシ１２と駆動手段１３とを連結させる連結手段１４とを内蔵するケー
ス１５が配置されている。ケース１５の内部には、手元ブラシ１２の回動軸１２ｃに取り付けられたギアＡ１６と、手元ブラシ１２を回転駆動する電動機１７と、電動機１７の回転軸１７ａに取り付けられたギアＢ１８と、ケース１５内に形成された係合凹部１５ａに摺動自在に取り付けられた軸体１９と、軸体１９に取り付けられ、ギアＡ１６とギアＢ１８とを連結するギアＣ２０と、軸体１９に取付けられており、軸体１９及びギアＣ２０を摺動させるソレノイド等の軸体駆動部２１と、軸体１９に取付けられたコイルバネ２２と、が内蔵されており、この電動機１７及びギアＢ１８によって駆動手段１３が構成されているとともに、軸体１９、ギアＣ２０、軸体駆動部２１、及び、コイルバネ２２によって連結手段１４が構成されている。ここで、本実施の形態においては、軸体駆動部２１をソレノイド等で構成した形態について説明するが、軸体駆動部２１は電動機等の移動を制御するもので構成してもよい。
【００３１】
図４に示すように、掃除機本体１の内部には、使用者が手元操作部１１で選択した電動送風機１ａの各種の動作モード（例えば、強、中、弱、停止など）に基づいて電動送風機１ａの入力を制御する制御手段２３が配置されており、この制御手段２３は、マイクロコンピュータなどで構成されている。制御手段２３と電動送風機１ａとの間には、制御手段２３からの信号に基づいて電動送風機１ａを駆動する電動送風機駆動手段２４が配置されている。電動送風機駆動手段２４は、電動送風機１ａを駆動するための双方向性サイリスタなどで構成されており、使用者が手元操作部１１で選択した電動送風機１ａの各種の動作モード（例えば、強、中、弱、停止など）に基づいて制御手段２３から出力された点弧パルスに応じて電動送風機１ａを位相制御し、電動送風機１ａの吸込み力を可変させている。
【００３２】
また、制御手段２３には、制御手段２３の信号に基づいて吸込具３内に配置されたモータ７を駆動するモータ駆動手段２５が接続されている。モータ駆動手段２５は、モータ７を駆動するための双方向性サイリスタなどで構成されており、制御手段２３から出力された信号に基づいてモータ７を位相制御し、回転ブラシ６の回転および掻き揚げ力を制御している。
【００３３】
さらに、制御手段２３には、吸込具３及び延長管４とホース５との接続の有無を検知する接続検知手段２６が接続されている。接続検知手段２６は、固定抵抗等のインピーダンスで構成され、吸込具３の着脱を検知する吸込具検知手段２６ａと、固定抵抗等のインピーダンスで構成され、延長管４の着脱を検知する延長管検知手段２６ｂと、で構成されている。吸込具検知手段２６ａは、吸込具３に設けられた安全スイッチ（図示せず）によって、吸込具３と被清掃面との接触の有無、すなわち、吸込具３の離床及び着床状態を検知できるように構成されている。また、延長管検知手段２６ｂは、掃除機本体１内に内地された抵抗等のインピーダンスと延長管４内に配置された固定抵抗等のインピーダンスとの分割電圧の変化を検出し、延長管４の接続の有無を検知している。
【００３４】
また、制御手段２３には、電源コード１ｂに接続され、電源コード１ｂと商用電源５０と接続の有無を検知し、制御手段２３に検知信号を出力する通電検知手段２７が配置されている。
【００３５】
さらに、制御手段２３には、先端パイプ１０に回動自在に取り付けられた手元ブラシ１２を回転駆動する電動機１７を駆動させる電動機駆動手段２８と、ケース１５内に配置された軸体駆動部２１を駆動する連結駆動手段２９と、が接続されている。電動機駆動手段２８は、電動機１７を駆動するためのトランジスタやリレーなどでブリッジ回路が構成されており、電動機１７のＯＮ及びＯＦＦ、並びに、電動機１７の正転及び逆転の制御をしている。また、連結駆動手段２９は、ソレノイド等で構成された軸体駆動部２１を駆動するためのトランジスタやリレーなどで構成されており、軸体駆動部２１のＯＮ及びＯＦＦ
を制御している。ここで、本実施の形態における電動機１７の正転とは、手元ブラシ１２を収納状態から使用状態へと動作させる方向であり、電動機１７の逆転とは、手元ブラシ１２を使用状態から収納状態へと動作させる方向である。
【００３６】
また、電動機駆動手段２８及び連結駆動手段２９と商用電源５０との間には、商用電源５０の交流電源を直流電源へと変換し、電動機１７、制御手段２３、電動機駆動手段２８、及び、連結駆動手段２９に電力を供給する直流電源装置３０が配置されている。
【００３７】
以上のように構成された電気掃除機１００について、以下、その動作、作用を説明する。
【００３８】
使用者によって電源コード１ｂが商用電源５０に接続されると、通電検知手段２７から制御手段２３に検知信号が伝達されるとともに、商用電源５０の交流電源が直流電源装置３０によって直流電源へと変換され、電動機１７、制御手段２３、電動機駆動手段２８、及び、連結駆動手段２９に電力が供給される。
【００３９】
次に、使用者が手元操作部１１を操作し、電動送風機の動作モードを選択すると、制御手段２３は、使用者によって選択された動作モードに応じて手元操作部１１から出力された信号に基づいて、電動送風機駆動手段２４及びモータ駆動手段２５に予め定めされた信号を送り、電動送風機１ａおよびモータ７を駆動する。制御手段２３及び電動送風機駆動手段２４によって電動送風機１ａが駆動されると、電動送風機１ａで吸引風が発生され、被清掃面の塵埃が吸込具３、延長管４、及び、ホース５を介して掃除機本体１の内部へと流入し、掃除機本体１に装着された集塵容器２で塵埃が捕集される。
【００４０】
この状態において、使用者が吸込具３及び延長管４をホース５から取り外すると、接続検知手段２６が、インピーダンスの変化を検知し、吸込具３及び延長管４がホース５から取り外されたことを検知し、制御手段２３へと検知信号を送信する。接続検知手段２６から制御手段２３に信号が伝達されると、制御手段２３は、電動機駆動手段２８及び連結駆動手段２９へと信号を送信し、電動機１７及び軸体駆動部２１を駆動することで、手元ブラシ１２と駆動手段１３とを連結し、手元ブラシ１２を収納状態（図２中の実線で示した状態）から使用状態（図２中の二点鎖線で示した状態）へと動作させる。
【００４１】
具体的には、接続検知手段２６からの信号に基づいて制御手段２３から電動機駆動手段２８及び連結駆動手段２９へと信号が送信されると、連結駆動手段２９によって軸体駆動部２１が駆動され、軸体１９に設けられたギアＣ２０によって、電動機１７の回転軸１７ａに設けられたギアＢ１８と、手元ブラシ１２の回動軸１２ｃに設けられたギアＡ１６とが連結される。その後、電動機駆動手段２８によって電動機１７が一定時間正転され、電動機１７の回転力がギアＢ１８、ギアＣ２０、及び、ギアＡ１６を介して手元ブラシ１２へと伝達されることで、手元ブラシ１２が収納状態から使用状態へと動作する。
【００４２】
手元ブラシ１２の使用状態への動作が完了すると、制御手段２３は、電動機駆動手段２８及び連結駆動手段２９へと信号を送り、電動機１７の正転を停止させる。制御手段２３によって電動機１７の正転が停止されると、軸体１９に取り付けられたコイルバネ２２の付勢力によって軸体１９及びギアＣ２０が動作され、駆動手段１３と手元ブラシ１２との連結が解除される。
【００４３】
使用者が手元ブラシ１２を使用して掃除を行っている状態において、使用者が手元操作部１１を操作して、電動送風機１ａの運転を停止させると、制御手段２３は、電動機駆動手段２８及び連結駆動手段２９へと信号を送信し、電動機１７及び軸体駆動部２１を駆動する。電動機駆動手段２８及び連結駆動手段２９によって電動機１７及び軸体駆動部２１
が駆動されると、軸体駆動部２１によって軸体１９及びギアＣ２０が駆動され、手元ブラシ１２と駆動手段１３とが連結される。その後、電動機駆動手段２８によって電動機１７が一定時間逆転され、電動機１７の回転力がギアＢ１８、ギアＣ２０、及び、ギアＡ１６を介して手元ブラシ１２へと伝達されることで、手元ブラシ１２が使用状態から収納状態へと動作される。ここで、本実施の形態においては、電動送風機１ａの運転を停止された直後に電動機１７及び軸体駆動部２１を駆動し、手元ブラシ１２を使用状態から収納状態へと動作させるように構成しているが、電動送風機１ａの運転を停止されてから所定時間後に電動機１７及び軸体駆動部２１を駆動し、手元ブラシ１２を使用状態から収納状態へと動作させるように構成してもよい。
【００４４】
手元ブラシ１２の収納状態への動作が完了すると、制御手段２３は、電動機駆動手段２８及び連結駆動手段２９へと信号を送り、電動機１７の逆転を停止させる。制御手段２３によって電動機１７の逆転が停止されると、軸体１９に取り付けられたコイルバネ２２の付勢力によって軸体１９及びギアＣ２０が動作され、駆動手段１３と手元ブラシ１２との連結が解除される。
【００４５】
以上のように、本実施の形態においては、接続検知手段２６によって、吸込具３及び延長管４がホース５から取り外されたことが検知されると、制御手段２３から電動機駆動手段２８及び連結駆動手段２９に信号が送信され、駆動手段１３と手元ブラシ１２とが連結されるとともに、手元ブラシ１２が収納状態から使用状態へと自動的に動作するように構成されているため、使用者が手元ブラシ１２を使用する際に、使用者の手が手元ブラシ１２に触れ、使用者の手に塵埃が付着することがなく、電気掃除機１００の使い勝手を向上させることができる。また、本実施の形態においては、手元ブラシ１２を使用して掃除を行っている状態で電動送風機１ａの運転が停止されると、制御手段２３から電動機駆動手段２８及び連結駆動手段２９に信号が送信され、駆動手段１３と手元ブラシ１２とが連結されるとともに、手元ブラシ１２が使用状態から収納状態へと自動的に動作するように構成されているため、使用者が手元ブラシ１２を収納する際に、使用者の手が手元ブラシ１２に触れ、使用者の手に塵埃が付着することがなく、電気掃除機１００の使い勝手を向上させることができる。
【００４６】
また、本実施の形態においては、手元ブラシの収納状態から使用状態への移動、及び、使用状態から収納状態への移動が完了すると、制御手段２３は、電動機駆動手段２８及び連結駆動手段２９へと信号を送り、電動機１７の回転を停止させ、その後、軸体駆動部２１を動作させ、駆動手段１３と手元ブラシ１２との連結を解除するため、駆動手段１３、連結手段１４、及び、手元ブラシ１２に過大な負荷がかかることがない。そのため、駆動手段１３、連結手段１４、及び、手元ブラシ１２が破損することを十分に防止することができ、駆動手段１３、連結手段１４、及び、手元ブラシ１２の耐久性を向上させることができる。
【００４７】
以上、本発明の電気掃除機の実施の形態１について説明したが、本発明の電気掃除機は上述した実施の形態１に限定されるものではない。
【００４８】
例えば、本実施の形態においては、接続検知手段２６によって吸込具３及び延長管４がホース５から取り外されたことが検知された場合に、制御手段２３から電動機駆動手段２８及び連結駆動手段２９に信号が送信され、駆動手段１３と手元ブラシ１２とが連結されるとともに、駆動手段１３によって手元ブラシ１２が収納状態から使用状態へと自動的に動作する構成について説明したが、手元操作部１１に軸体駆動部２１を操作する連結操作手段（図示せず）を配置し、制御手段２３は、使用者によって連結操作手段（図示せず）が操作された場合に、駆動手段１３と手元ブラシ１２とを連結させるとともに電動機１７を正転させることで、手元ブラシ１２を収納状態から使用状態へと移動させるように構成
してもよい。この構成においても、上述した実施の形態１と同様に、使用者が手元ブラシ１２を使用する際に、使用者の手が手元ブラシ１２に触れ、使用者の手に塵埃が付着することがなく、電気掃除機１００の使い勝手を向上させることができる。
【００４９】
また、本実施の形態においては、使用者が手元ブラシ１２を使用している状態において、使用者が電動送風機１ａの運転を停止した際に、手元操作部１１からの信号に基づいて、制御手段２３が電動機駆動手段２８及び連結駆動手段２９に信号を送信することで、軸体駆動部２１が駆動され、駆動手段１３と手元ブラシ１２とが連結されるとともに、電動機１７が駆動され、手元ブラシ１２が使用状態から収納状態へと移動する構成について説明したが、上述の構成と同様に、手元操作部１１に軸体駆動部２１を操作する連結操作手段（図示せず）を配置し、制御手段２３は、使用者によって連結操作手段（図示せず）が操作された場合に、駆動手段１３と手元ブラシ１２とを連結させるとともに電動機１７を逆転させることで、手元ブラシ１２を使用状態から収納状態へと移動させるように構成していてもよい。この構成においても、上述した実施の形態１と同様に、使用者が手元ブラシ１２を収納する際に、使用者の手が手元ブラシ１２に触れ、使用者の手に塵埃が付着することがなく、電気掃除機１００の使い勝手を向上させることができる。
【００５０】
さらに、本実施の形態においては、手元ブラシの収納状態から使用状態への移動、及び、使用状態から収納状態への移動が完了した際に、制御手段２３によって電動機１７の回転を停止され、コイルバネ２２の付勢力によって駆動手段１３と手元ブラシ１２との連結が解除される構成について説明したが、軸体駆動部２１を電動機等で構成し、手元ブラシの収納状態から使用状態への移動、及び、使用状態から収納状態への移動が完了した際に電動機等で構成された軸体駆動部２１を駆動させ、駆動手段１３と手元ブラシ１２との連結を自動的に解除するように構成されていてもよい。この構成においても、上述した実施の形態１と同様に、使用者が手元ブラシ１２を収納する際に、使用者の手が手元ブラシ１２に触れ、使用者の手に塵埃が付着することがなく、電気掃除機１００の使い勝手を向上させることができる。また、駆動手段１３、連結手段１４、及び、手元ブラシ１２に過大な負荷がかかることがなく、そのため、駆動手段１３、連結手段１４、及び、手元ブラシ１２が破損することを十分に防止することができ、駆動手段１３、連結手段１４、及び、手元ブラシ１２の耐久性を向上させることができる。
【００５１】
（実施の形態２）
本発明の電気掃除機の実施の形態２について、図５及び図６を用いて説明する。なお、上述した実施の形態１と同一または相当部分には同一符号付し、重複する説明は省略する。
【００５２】
図５は、本発明の実施の形態２における駆動手段及び連結手段の概略図である。また、図６は、本発明の実施の形態２における制御ブロック図である。
【００５３】
図５に示すように、本実施の形態においては、上述した実施の形態１における軸体駆動部２１が、使用者によって手動で操作される手動操作部３１で構成されている。すなわち、図５及び図６に示すように、手元ブラシ１２の近傍には、手元ブラシ１２を回転駆動する駆動手段１３と、手元ブラシ１２と駆動手段１３とを連結させる連結手段１４とを内蔵するケース１５が配置されている。ケース１５の内部には、電動機１７及びギアＢ１８によって構成された駆動手段１３と、ケース１５内に形成された係合凹部１５ａに摺動自在に取り付けられた軸体１９と、軸体１９に取り付けられ、ギアＡ１６とギアＢ１８とを連結するギアＣ２０と、一端が軸体１９に取付けられるとともに、他端がケース１５の外部へと突出する手動操作部３１と、軸体１９に取付けられたコイルバネ２２と、が内蔵されており、この電動機１７及びギアＢ１８によって駆動手段１３が構成されているとともに、軸体１９、ギアＣ２０、手動操作部３１、及び、コイルバネ２２によって連結手段１４
が構成されている。また、図６に示すように、制御手段２３には、使用者によって手動操作部３１が操作されたことを検知する手動操作検知手段３２が接続されている。
【００５４】
以上のように構成された電気掃除機１００について、以下、その動作、作用を説明する。
【００５５】
使用者が吸込具３及び延長管４をホース５から取り外し、手動操作部３１をコイルバネ２２の付勢力に反して押すと、手動操作部３１の動作に連動して軸体１９及びギアＣ２０が動作し、軸体１９に設けられたギアＣ２０によって、電動機１７の回転軸１７ａに設けられたギアＢ１８と、手元ブラシ１２の回動軸１２ｃに設けられたギアＡ１６とが連結されるとともに、手動操作検知手段３２によって手動操作部３１が押されたことが検知され、検知信号が制御手段２３へと送信される。制御手段２３は、手動操作検知手段３２からの信号に基づいて電動機駆動手段２８へと信号を送信し、電動機１７を駆動することで、手元ブラシ１２を収納状態（図２中の実線で示した状態）から使用状態（図２中の二点鎖線で示した状態）へと動作させる。
【００５６】
使用者により手動操作部３１の操作が解除されると、手動操作検知手段３２によって手動操作部３１の操作が解除されたことが検知され、検知信号が制御手段２３へと送信されるとともに、制御手段２３から電動機駆動手段２８へと信号が送信され、電動機１７の駆動が停止される。また、使用者により手動操作部３１の操作が解除されると、コイルバネ２２の付勢力によって手動操作部３１が動作され、駆動手段１３と手元ブラシ１２との連結が解除される。
【００５７】
以上のような構成においても、上述した実施の形態１に記載の構成と同様に、使用者が手元ブラシ１２を使用及び収納する際に、使用者の手が手元ブラシ１２に触れ、使用者の手に塵埃が付着することがなく、電気掃除機１００の使い勝手を向上させることができる。
【産業上の利用可能性】
【００５８】
本発明の電気掃除機は、使用者が手元ブラシを使用及び収納する際に、使用者の手が手元ブラシに触れ、使用者の手に塵埃が付着することがなく、電気掃除機の使い勝手を向上させることができるため、家庭用、業務用、店舗用の各種電気掃除機に適用できる。
【符号の説明】
【００５９】
１  掃除機本体
１ａ  電動送風機
１ｂ  電源コード
２  集塵容器
３  吸込具
３ａ  吸込具本体
３ｂ  連結管
４  延長管
５  ホース
６  回転ブラシ
７  モータ
８  接続管
９  保持部
１０  先端パイプ
１１  手元操作部
１２  手元ブラシ
１２ａ  手元ブラシ本体
１２ｂ  ブラシ毛
１２ｃ  回動軸
１３  駆動手段
１４  連結手段
１５  ケース
１６  ギアＡ
１７  電動機
１７ａ  回転軸
１８  ギアＢ
１９  軸体
２０  ギアＣ
２１  軸体駆動部
２２  コイルバネ
２３  制御手段
２４  電動送風機駆動手段
２５  モータ駆動手段
２６  接続検知手段
２６ａ  吸込具検知手段
２６ｂ  延長管検知手段
２７  通電検知手段
２８  電動機駆動手段
２９  連結駆動手段
３０  直流電源装置
３１  手動操作部
３２  手動操作検知手段
５０  商用電源
１００  電気掃除機
【図４】
2013132416.tif 000003
【図６】
2013132416.tif 000004
【図１】
2013132416.tif 000005
【図２】
2013132416.tif 000006
【図３】
2013132416.tif 000007
【図５】
2013132416.tif 000008
【図７】
2013132416.tif 000009
【図８】
2013132416.tif 000010